(57)【要約】【課題】  不溶性の粉体を含む内溶液が収容されている場合でも、安定した状態で多量に発生するガスを排除できるキャップ付き容器を提供する。【解決手段】  ガスを発生する内容物を収容する容器本体１１と、容器本体１１の口首部１２に装着されるキャップ１３とを含み、キャップ１３の天面部１５の下面から下方に突出して容器本体１１の口首部１２の先端部内周面１６と密着するインナーリング１４を備えたキャップ付き容器１０であって、天面部１５のインナーリング１４よりも内側部分とインナーリング１４とを連結して設けられた引込みリブ１７を有しており、容器本体１１の内圧によって天面部１５が膨出した際に、引込みリブ１７を介してインナーリング１４を内側に引き込むことにより、インナーリング１４の密着状態を解除して圧力を開放する。【選択図】      図２
2005343544.tif 000002
【特許請求の範囲】
【請求項１】
ガスを発生する内容物を収容する容器本体と、該容器本体の口首部に装着されるキャップとを含み、該キャップの天面部の下面から下方に突出して前記容器本体の口首部の先端部内周面と密着するインナーリングを備えたキャップ付き容器であって、
前記天面部の前記インナーリングよりも内側部分と前記インナーリングとを連結して設けられた引込みリブを有し、前記容器本体の内圧によって前記天面部が膨出した際に、前記引込みリブを介して前記インナーリングを内側に引き込むことにより、前記インナーリングの密着状態を解除して圧力を開放するキャップ付き容器。
【請求項２】
前記インナーリングより外側の前記天面部には、当該インナーリングを挟んだ前記引込みリブの取付け位置とは反対側の部分に、上方に切り欠かれた排出路用切欠きが設けられている請求項１記載のキャップ付き容器。
【請求項３】
前記天面部における前記引込みリブの周囲の部分が薄肉部となっている請求項１又は２に記載のキャップ付き容器。
【請求項４】
前記インナーリングの外側面には、前記容器本体の口首部の先端部内周面と密着して線シールされるシール凸条が周方向に延設して設けられている請求項１〜３のいずれかに記載のキャップ付き容器。
【請求項５】
請求項１〜４のいずれかに記載のキャップ付き容器にガスを発生する内容物を収容したキャップ付き容器製品。
【請求項６】
前記ガスを発生する内容物は毛髪化粧料である請求項５記載のキャップ付き容器製品。
【発明の詳細な説明】
【技術分野】
【０００１】
本発明は、ガスを発生する内容物を収容するキャップ付き容器及びキャップ付き容器製品に関する。
【背景技術】
【０００２】
例えば化粧品、薬品、塗料、食品等を収容する容器は、首部にキャップを装着して内容物を内部に封入した際に、内容物から発生するガスによって容器が膨張し、容器を変形させたりする場合がある。発生したガスの圧力による容器の変形を防止するためには、キャップ等にガス抜き機構を設けて発生したガスを排除することが必要であるが、ガスを通過させるだけでなく、内部の圧力が所定の圧力以下のときは内容物の流出を防止できるような機構のものでなければ、流通時や容器を転倒させた際などに、内容物が漏れ出てしまう場合がある。
【０００３】
このため、内容物の流出を防止しつつ発生するガスを排除できるようにしたキャップ付き容器が種々開発されている（例えば、特許文献１参照）。特許文献１に記載の容器は、キャップの上部中央にガス通過孔を設けると共に、パッキン状のガス抜き機構を、容器本体の口首部の上端開口を覆って内側に挟み込みつつキャップを首部に装着してなるものである。そして、ガス抜き機構は、環状のスペーサを挟んで積層された、上面側の通気性シートと、下面側の弾性フィルムによる弁体とを備え、通気性シートを介してガスを排除でき、弁体によって内容物の流出を阻止するものである。
【０００４】
また、キャップが装着される容器の内圧が所定値を超えた時にキャップの天板部が上方に膨出変形するのを利用して、かかる膨出変形時にライナーの一部を容器の開口端面から離間させることにより、容器の内圧が過度に高まった際に圧力を開放できるようにしたキャップ付き容器も開発されている（例えば、特許文献２参照）。
【０００５】
さらに、図５（ａ），（ｂ）に示すように、キャップ５０の天面部５１の下面から下方に突出して、容器の口首部５２の先端部内周面と密着するインナーリング５３を備えたキャップ付き容器において、容器の内圧が上昇していない通常時では、インナーリング５３の外側シール面が口首部５２の先端部内周面に密着して液シールがなされている状態から（図５（ａ）参照）、内圧が上昇して容器の口首部５２が外側に膨らみ、それにつれてキャップ５０が変形することで、液シールが外れて容器の内部に発生したガス等を排出できるようにした（図５（ｂ）参照）キャップ付き容器も知られている。
【特許文献１】特開平５−２７０５５９号公報
【特許文献２】特開２００１−８０６５９号公報
【発明の開示】
【発明が解決しようとする課題】
【０００６】
引用文献２や図５（ａ），（ｂ）に示すキャップ付き容器によれば、引用文献１のキャップ付き容器と比較して、比較的短時間に多量のガスを発生する内溶液を収容した場合でも、発生するガスを効果的に排除することが可能になるが、さらに安定した状態で多量のガスをスムーズに排除できるキャップ付き容器の開発が要望されている。特に、容器の内部に不溶性の粉体を含む内溶液が収容されている場合又は不溶性の粉体を混合して収容されている場合には、ガスや内溶液と共に不溶性の粉体が排出されることになるため、これらの粉体によって排気路に目詰まりが生じないようにしながら確実且つ安定した状態で発生したガスを排除できるようにすることが好ましい。
【０００７】
本発明は、さらに安定した状態で多量に発生するガスをスムーズに排除できると共に、容器の内部に不溶性の粉体を含む内溶液が収容されている場合でも、排気路の目詰まりを回避しつつ確実且つ安定した状態で発生したガスを排除することのできるキャップ付き容器及びキャップ付き容器製品を提供することを目的とする。
【課題を解決するための手段】
【０００８】
本発明は、ガスを発生する内容物を収容する容器本体と、該容器本体の口首部に装着されるキャップとを含み、該キャップの天面部の下面から下方に突出して前記容器本体の口首部の先端部内周面と密着するインナーリングを備えたキャップ付き容器であって、前記天面部の前記インナーリングよりも内側部分と前記インナーリングとを連結して設けられた引込みリブを有しており、前記容器本体の内圧によって前記天面部が膨出した際に、前記引込みリブを介して前記インナーリングを内側に引き込むことにより、前記インナーリングの密着状態を解除して圧力を開放するキャップ付き容器を提供することにより、上記目的を達成したものである。
【０００９】
また、本発明は、上記キャップ付き容器にガスを発生する内容物を収容したキャップ付き容器製品を提供することにより、上記目的を達成したものである。
【発明の効果】
【００１０】
本発明のキャップ付き容器及びキャップ付き容器製品によれば、さらに安定した状態で多量に発生するガスをスムーズに排除できると共に、容器の内部に不溶性の粉体を含む内溶液が収容されている場合でも、排気路の目詰まりを回避しつつ確実且つ安定した状態で発生したガスを排除することができる。
【発明を実施するための最良の形態】
【００１１】
本発明の好ましい一実施形態に係るキャップ付き容器１０は、図１に示すように、例えば円筒ボトル形状の容器本体１１と、この容器本体１１の口首部１２に螺合装着されるキャップ１３とからなり、内部に、ガスを発生する内容物として、例えば第１剤と第２剤と粉末補助剤とを混合してなる、毛髪化粧料である発泡状態の染毛剤が、混合液として収容されている。染毛剤は、例えば過酸化水素を含む酸性の第２剤が収容された容器本体１１からキャップ１３を取り外し、別の容器に収容されたアルカリ剤である第１剤を投入して混合し、さらに反応を促進させる粉末補助剤を混合することにより形成される３剤式のものである。またこの染毛剤は、粉末補助剤が混合されることにより、不溶性粉体を含んでいる。このような染毛剤は、容器本体１１に第１剤や粉末補助剤を投入し、キャップ１３を締め直して第２剤と混合した後、キャップ１３のノズル部２０の先端を開放して速やかに使用されることが望ましいが、例えばキャップ１３が装着されたまま長時間が経過した場合であっても、染毛剤から発生した多量のガスによる過度の圧力によって、容器本体１１が膨張したり、変形したりするのを効果的に回避できる容器として、本実施形態のキャップ付き容器１０が採用されたものである。
【００１２】
そして、本実施形態のキャップ付き容器１０は、ガスを発生する内容物として、例えば第１剤と第２剤と粉末補助剤との混合液である染毛剤を収容する容器本体１１と、この容器本体１１の口首部１２に装着されるキャップ１３とを含み、キャップ１３の天面部１５の下面から下方に突出して容器本体１１の口首部１２の先端部内周面１６と密着するインナーリング１４を備えた容器であって、図２（ａ），（ｂ）及び図３にも示すように、天面部１５のインナーリング１４よりも内側の中央寄りの部分とインナーリング１４とを連結して設けられた引込みリブ１７を有し、容器本体１１の内圧によって天面部１５が膨出した際に、引込みリブ１７を介してインナーリング１４が内側に引き込まれることにより、インナーリング１４の口首部１２の先端部内周面１６への密着状態が解除されて圧力が開放される構成になっている。
【００１３】
また、本実施形態では、天面部１５の内側のインナーリング１４より周縁に寄った部分で当該インナーリング１４を挟んだ引込みリブ１７の取付け位置とは反対側の部分に、上方に切り欠かれた排出路用切欠き１８が設けられている。
【００１４】
さらに、本実施形態では、天面部１５における引込みリブ１７の周囲の部分が薄肉部１９となっている。
【００１５】
本実施形態のキャップ付き容器１０を構成する容器本体１１は、例えば高密度ポリエチレンや低密度ポリエチレンからなる直径が例えば３０〜６０ｍｍの円筒ないしは楕円ボトル形状のプラスチック容器であって、例えば１００〜２００ｍｌの容量を有している。また、容器本体１１は、例えば０．３〜０．５ＭＰａ（３〜５ｋｇｆ／ｃｍ2）の内圧強度を備えると共に、これの上端部分に、外周面に雄ネジ突条が形成された口首部１２が上方に突出して設けられており、この口首部１２を覆うようにして、キャップ１３が螺合装着されることになる（図１参照）。
【００１６】
さらに、本実施形態によれば、容器本体１１の胴部２１を覆って、内圧による胴部２１の変形に追随するラベルとして例えばストレッチラベル２２が装着されている。ストレッチラベル２２は、例えば厚さが４０〜８０μｍの低密度ポリエチレンからなり、筒状に連続したラベルとして、胴部２１に密着して取り付けられる。またストレッチラベル２２は、低密度ポリエチレンの薄膜からなるので、例えば肉厚１００〜５００μｍの高密度ポリエチレンや低密度ポリエチレンからなる容器本体１１と比較して延伸率が高くなっており、胴部２１の変形にスムーズに追随することが可能になる。これによって、ガスの発生により容器本体１１の内圧が上昇し、胴部２１に亀裂等が生じて液洩れが発生しても、液洩れした混合液を胴部２１の外周面とストレッチラベル２２との間の隙間から逃がすことによって、生じた亀裂等から混合液が噴出するのを効果的に回避することが可能になる。
【００１７】
容器本体１１と共に本実施形態のキャップ付き容器１０を構成するキャップ１３は、図２（ａ），（ｂ）及び図３に示すように、例えば射出成形によるプラスチック成形品であって、中央部分から上方に立設する略円錐形状のノズル部２０を備える天面部１５と、この天面部１５の外周縁部からスカート状に連続して下方に延設する外周壁２３とからなる。外周壁２３の内周面には雌ネジ突条が形成されており、これを容器本体１１の口首部１２の雄ネジ突条に螺合することにより、キャップ１３は、混合液である染毛剤を容器本体１１の内部に強固に封入した状態で、口首部１２の上端開口を覆って着脱可能に装着される。
【００１８】
キャップ１３の天面部１５は、円環帯板形状の外周部分１５ａと、この外周部分１５ａの中央寄り即ち内側の端部から上方に向けて斜めに連続する円弧断面形状部分１５ｂと、円弧断面形状部分１５ｂの上端部から連続する円環帯板形状の中央上段部分１５ｃとからなり、中央上段部分１５ｃの中央部分から立ち上がるノズル部２０が天面部１５と一体に設けられている。
【００１９】
また、外周部分１５ａと円弧断面形状部分１５ｂとの接合部における天面部１５の下面から下方に突出して、インナーリング１４が周方向に円環状に連続して設けられている。
【００２０】
そして、インナーリングの周方向４箇所に、各々３体の引込みリブ１７が周方向に所定の間隔をおいて配置されている。各引込みリブ１７は、例えば０．５〜２．０ｍｍの幅の略扇形状の板状リブである。各引込みリブ１７は、その一辺が、インナーリング１４よりも内側部分の天面部１５である円弧断面形状部分１５ｂの基端部分に、他の一辺が、インナーリング１４の内側の面に各々一体として接合して、これらの部分を連結するように跨って設けられている。各引込みリブ１７は、後述するように、ガスの発生により容器本体１１の内圧が上昇し、この上昇した内圧によって天面部１５の特に円弧断面形状部分１５ｂが外側Ｘに膨出した際に、この膨出に伴ってインナーリング１４を内側Ｙに引き込むように作用する。
【００２１】
さらに、本実施形態では、インナーリング１４の外側の外周壁２３との間に挟まれる部分の外周部分１５ａには、これの下面を上方に切り欠くことにより、排出路用切欠き１８が設けられている。この排出路用切欠き１８は３体の引込みリブ１７の付近４箇所に分かれていて、天面部１５は周方向に排出路用切欠き１８の存在する排出用（変形）領域２４と排出路用切欠き１８の存在しない固定（非変形）領域２５とが交互に各々４箇所存在することになる。排出路用切欠き１８が設けられていることにより、排出用領域２４におけるインナーリング１４と外周壁２３との間に挟まれる外周部分１５ａの厚さは、固定領域２５におけるインナーリング１４と外周壁２３との間に挟まれる外周部分１５ａ（図２（ａ）及び図３において破線で表示）の厚さよりも薄くなる。
【００２２】
これによって、容器本体１１の口首部１２にキャップ１３を螺合装着して、口首部１２の先端面が固定領域２５におけるインナーリング１４と外周壁２３との間に挟まれる天面部１５の下面に当接密着しても、排出用領域２４においては、口首部１２の先端面と天面部１５の下面との間には相当の間隔が保持されることになる。これらの排出用領域２４の排出路用切欠き１８が設けられた部分は、引込みリブ１７の取付け位置とはインナーリング１４を挟んで反対側に位置することから、後述するように、天面部１５の膨出に伴ってインナーリング１４を内側Ｙに引き込み、口首部１２の先端部内周面１６へのインナーリング１４の密着状態を解除した際に、口首部１２の先端面の上方を介した排気路Ｚを確保することが可能になる。
【００２３】
また、本実施形態によれば、引込みリブ１７が設けられた天面部１５の排出用領域２４において、引込みリブ１７の周囲の部分である円弧断面形状部分１５ｂが、固定領域２５における円弧断面形状部分１５ｂ（図２（ａ）及び図３において破線で表示）よりも厚さの薄い、薄肉部１９（図２（ｂ）において斜線部分で表示）となっている。天面部１５における引込みリブ１７の周囲の部分が薄肉部１９となっていることにより、当該薄肉部１９が、内圧の上昇時に外側Ｘへ膨出しやすくなっているので、さらに確実且つスムーズにインナーリング１４を内側Ｙに引き込ませるようにすることが可能になる。また、円弧断面形状部分１５ｂ全体を薄肉部としたのではなく、特に引込みリブ１７の周囲の限られた部分である排出用領域２４のみを部分的に薄肉部１９としたことで、内圧の上昇による変形がこの限られた部分に集中し、この作用は一層顕著なものとなる。
【００２４】
さらに、本実施形態において、インナーリング１４の外側面に、図４に示すように、容器本体１１の口首部１２の先端部内周面１６と密着して線シールされるシール凸条２６を、周方向に延設して設けておくこともできる。インナーリング１４の外側面にシール凸条２６を設けておくことにより、容器本体１１の内圧が上昇した際に、インナーリング１４の内側Ｙへの引き込みよって、排気路Ｚをよりスムーズに形成することが可能になる。シール凸条２６は、インナーリング１４の全周に亘って連続して設ける必要は必ずしもなく、部分的に設けることもできる。例えばインナーリング１４を挟んだ引込みリブ１７の取付け位置とは反対側の部分に、一段低くなったインナー凹部を設けると共に、該インナー凹部を横断するように、当該インナー凹部のみにシール凸条２６を延設することもできる。
【００２５】
そして、上述の構成を備える本実施形態のキャップ付き容器１０によれば、容器本体１１に第２剤が収容されて製品化された状態や、或いは容器本体１１の内部で第１剤と第２剤と粉末補助剤とが混合されて染毛剤からガスが発生した後、容器本体１１の内圧が予め設定された例えば０．１ＭＰａ（１ｋｇｆ／ｃｍ2）の内圧に未だ至っていない状態においては、図１に示すように、インナーリング１４は、その外側シール面を口首部１２の先端部内周面１６に強固に密着させている。この密着により、第２剤や染毛剤を外部に漏出させないようにこれらを容器本体１１の内部に強固に封入する液シールがなされる。
【００２６】
また、本実施形態のキャップ付き容器１０によれば、内部に収容した混合液である染毛剤から発生するガスによって容器本体１１の内圧が上昇すると、特に引込みリブ１７が設けられた薄肉部１９において天面部１５が外側Ｘに膨出し、引込みリブ１７の作用によってインナーリング１４が内側Ｙに引き込まれ、インナーリングの密着状態が解除されて排気路Ｚが形成されることにより、圧力がスムーズ且つ効果的に開放されることになる。ここで、本実施形態によれば、内圧の上昇量に応じて天面部１５の膨出量も増大し、内圧の大きさに対応する相当の大きさの排気路Ｚが形成されるので、さらに安定した状態で多量に発生するガスをスムーズに排除できると共に、染毛剤に不溶性粉体が含まれていても、排気路Ｚの目詰まりを回避しつつ確実且つ安定した状態で発生したガスを排除することが可能になる。
【００２７】
なお、本発明は上記実施形態に限定されことなく種々の変更が可能である。例えば、インナーリングを挟んだ引込みリブの取付け位置とは反対側の天面部に排出路用切欠きを設ける必要は必ずしもなく、天面部における引込みリブの周囲の部分を薄肉部とする必要は必ずしもない。また、キャップは、天面部からノズル部が立設するものである必要は必ずしもなく、例えば天面部が平坦なキャップであっても良い。さらに、本発明のキャップ付き容器は、３剤式の染毛剤以外のその他の毛髪化粧料を収容して製品化することができる他、毛髪化粧料以外のガスを発生する内容物を収容する容器として用いることもできる。
【図面の簡単な説明】
【００２８】
【図１】本発明の一実施形態に係るキャップ付き容器の部分破断側面図である。
【図２】（ａ）は本発明の一実施形態に係るキャップ付き容器に装着されるキャップの断面図、（ｂ）は（ａ）のキャップを下方から視た底面図である。
【図３】天面部が膨出してインナーリングを内側に引き込むことにより排気路を形成する状況を説明する部分断面図である。
【図４】インナーリングの外側面に設けられたシール凸条を説明する部分断面図である。
【図５】（ａ）は、従来のキャップ付き容器における排気路を閉塞した状態を説明する部分断面図、（ｂ）は、同排気路を開放した状態を説明する部分断面図である。
【符号の説明】
【００２９】
１０  キャップ付き容器
１１  容器本体
１２  容器本体の口首部
１３  キャップ
１４  インナーリング
１５  キャップの天面部
１５ａ  天面部の外周部分
１５ｂ  天面部の円弧断面形状部分
１５ｃ  天面部の中央上段部分
１６  口首部の先端部内周面
１７  引込みリブ
１８  排出路用切欠き
１９  薄肉部
２０  ノズル部
２３  外周壁
２４  排出用領域
２５  固定領域
２６  シール凸条
【図１】
2005343544.tif 000003
【図２】
2005343544.tif 000004
【図３】
2005343544.tif 000005
【図４】
2005343544.tif 000006
【図５】
2005343544.tif 000007